(57)【要約】【課題】皮脂汚れの溶解及び洗剤成分の活性化のために浴槽洗浄初期の予備すすぎ時に散布する湯量を低減させることのできる浴槽洗浄装置を提供する。【解決手段】給湯器３から出湯配管３１を介して供給される湯水による予備すすぎを洗剤による洗浄前に行う浴槽洗浄装置１であって、出湯配管３１から供給された湯水温度を予備すすぎ時に検知する温度検知手段９と、該温度検知手段９により検知された湯水温度に基づいて予備すすぎの継続時間及び／又は湯水の積算流量を制御する制御手段７とを備える。【選択図】図１
2013106942.tif 000002
【特許請求の範囲】
【請求項１】
給湯器から出湯配管を介して供給される湯水による予備すすぎを洗剤による洗浄前に行う浴槽洗浄装置であって、出湯配管から供給された湯水温度を予備すすぎ時に検知する温度検知手段と、該温度検知手段により検知された湯水温度に基づいて予備すすぎの継続時間及び／又は湯水の積算流量を制御する制御手段とを備えていることを特徴とする浴槽洗浄装置。
【請求項２】
請求項１に記載の浴槽洗浄装置において、浴槽の排水口に設けられた電動式自動排水栓をさらに備え、前記制御手段は、予備すすぎ開始前に自動排水栓を開制御するとともに、予備すすぎの終了直前に自動排水栓を閉制御するように構成され、これにより予備すすぎ終了直前に出湯配管から供給された湯水を浴槽内に溜めることを特徴とする浴槽洗浄装置。
【請求項３】
請求項２に記載の浴槽洗浄装置において、予備すすぎ終了後に浴槽内へ洗剤を散布する洗剤散布手段をさらに備え、前記制御手段は、洗剤散布手段による洗剤散布が終了する前に前記自動排水栓を開制御するように構成され、これにより予備すすぎ終了直前に浴槽内に溜められた前記湯水を洗剤散布手段による洗剤散布が終了する前に排水することを特徴とする浴槽洗浄装置。
【請求項４】
請求項１〜３のいずれかに記載の浴槽洗浄装置において、前記制御手段は、出湯配管から供給された湯水が所定温度に達したことを検知すると、該検知時点から所定時間経過したときに予備すすぎを終了するように構成されていることを特徴とする浴槽洗浄装置。
【請求項５】
請求項１〜３のいずれかに記載の浴槽洗浄装置において、出湯配管から供給される湯水の流量を検出する流量検出手段をさらに備え、前記制御手段は、出湯配管から供給された湯水が所定温度に達したことを検知すると、該検知時点からの湯水の積算流量が所定値に達したときに予備すすぎを終了するように構成されていることを特徴とする浴槽洗浄装置。
【請求項６】
給湯器から出湯配管を介して供給される湯水による予備すすぎを洗剤による洗浄前に行う浴槽洗浄装置であって、浴槽周辺の雰囲気温度を検知するための雰囲気温度検知手段と、該雰囲気温度検知手段により検知された雰囲気温度に基づいて予備すすぎの継続時間及び／又は湯水の積算流量を制御する制御手段とを備えていることを特徴とする浴槽洗浄装置。
【請求項７】
請求項６に記載の浴槽洗浄装置において、出湯配管から供給された湯水温度を予備すすぎ時に検知する湯水温度検知手段をさらに備え、前記制御手段は、前記雰囲気温度及び前記湯水温度に基づいて予備すすぎの継続時間及び／又は湯水の積算流量を制御することを特徴とする浴槽洗浄装置。
【請求項８】
請求項７に記載の浴槽洗浄装置において、前記制御手段は、出湯配管から供給された湯水が所定温度に達したことを検知すると、該検知時点から前記雰囲気温度に応じて定められた所定時間経過したときに予備すすぎを終了するように構成されていることを特徴とする浴槽洗浄装置。
【請求項９】
請求項７に記載の浴槽洗浄装置において、出湯配管から供給される湯水の流量を検出する流量検出手段をさらに備え、前記制御手段は、出湯配管から供給された湯水が所定温度に達したことを検知すると、該検知時点からの湯水の積算流量が前記雰囲気温度に応じて定められた所定値に達したときに予備すすぎを終了するように構成されていることを特徴とする浴槽洗浄装置。
【請求項１０】
請求項６〜９のいずれかに記載の浴槽洗浄装置において、浴槽の排水口に設けられた電動式自動排水栓をさらに備え、前記制御手段は、予備すすぎ開始前に自動排水栓を開制御するとともに、予備すすぎの終了直前に自動排水栓を閉制御するように構成され、これにより予備すすぎ終了直前に出湯配管から供給された湯水を浴槽内に溜めることを特徴とする浴槽洗浄装置。
【請求項１１】
請求項１０に記載の浴槽洗浄装置において、予備すすぎ終了後に浴槽内へ洗剤を散布する洗剤散布手段をさらに備え、前記制御手段は、洗剤散布手段による洗剤散布が終了する前に前記自動排水栓を開制御するように構成され、これにより予備すすぎ終了直前に浴槽内に溜められた前記湯水を洗剤散布手段による洗剤散布が終了する前に排水することを特徴とする浴槽洗浄装置。
【発明の詳細な説明】
【技術分野】
【０００１】
本発明は、浴槽の洗浄を自動で行うことのできる浴槽洗浄装置に関する。
【背景技術】
【０００２】
従来の浴槽洗浄装置は、例えば、下記の特許文献１に示すように、浴槽に洗浄ノズルを設け、湯水供給配管を洗浄ノズルに接続すると共に湯水供給配管にベンチュリ部を設け、洗剤タンクの洗剤をベンチュリ部で湯水供給配管内を流れる湯水に混合して洗浄ノズルから洗剤と湯水の混合液（洗浄液）を浴槽の壁面に噴射して洗浄するようになっている。また、洗浄液を噴霧する前に浴槽の壁面に湯水を散布する予備すすぎを行い、浴槽内面の濡れ性を高めることにより、その後噴射される洗浄水が浴槽内面全体にわたって均一に浸潤するようにしている。
【０００３】
洗浄液による洗浄効率を一層向上させたい場合には、給湯器から湯水供給配管（出湯配管）を介して供給される４０〜５０℃程度の湯水を用いて予備すすぎを所定時間行うことで、浴槽内空間を適度に温かな状態に保ち、汚れに対する洗剤成分の活性化や皮脂汚れの溶解を促進させている。給湯器の設置箇所と浴槽までの距離は様々であり、給湯器から湯水供給配管を介して供給される湯水の温度が所定温度に達するまでに時間を要する場合もあるため、従来は、給湯器が最も浴槽から離れている設置態様を想定して予備すすぎを比較的長い時間行っていた。
【先行技術文献】
【特許文献】
【０００４】
【特許文献１】特開２００７−１１７１６３号公報
【発明の概要】
【発明が解決しようとする課題】
【０００５】
１回の浴槽洗浄における予備すすぎの散布量として十数リットルの湯が必要であるため、年間総量として数千リットルの湯を予備すすぎに必要となるが、光熱費の更なる削減、環境性能の向上のために、給湯器と浴槽との設置態様に応じて効率的な予備すすぎを行うことが求められている。
【０００６】
そこで本発明は、皮脂汚れの溶解及び洗剤成分の活性化のために浴槽洗浄初期の予備すすぎ時に散布する湯量を低減させることを目的とする。
【課題を解決するための手段】
【０００７】
上記目的を達成するために、本発明は、次の技術的手段を講じた。
【０００８】
すなわち、本発明の浴槽洗浄装置は、給湯器から出湯配管を介して供給される湯水による予備すすぎを洗剤による洗浄前に行う浴槽洗浄装置であって、出湯配管から供給された湯水温度を予備すすぎ時に検知する温度検知手段（湯水温度検知手段）と、該温度検知手段により検知された湯水温度に基づいて予備すすぎの継続時間及び／又は湯水の積算流量を制御する制御手段とを備えていることを特徴とするものである（請求項１）。
【０００９】
かかる本発明の浴槽洗浄装置によれば、出湯配管から供給された後の湯水温度を予備すすぎ時に検知する温度検知手段を設けているので、給湯器が浴槽から離れて設置されていても、予備すすぎ時に浴槽内に噴射される湯水温度を浴槽直前で検知することができ、湯水温度が所定温度に達した場合にはその後の予備すすぎ時に散布する湯量を節減するように予備すすぎの継続時間や積算流量を制御することによって、給湯器が浴槽近くに配置されている場合や、夏場における予備すすぎ水量を低減できる。
【００１０】
上記本発明の浴槽洗浄装置において、浴槽の排水口に設けられた電動式自動排水栓をさらに備え、前記制御手段は、予備すすぎ開始前に自動排水栓を開制御するとともに、予備すすぎの終了直前に自動排水栓を閉制御するように構成され、これにより予備すすぎ終了直前に出湯配管から供給された湯水を浴槽内に溜めるものであってよい（請求項２）。これによれば、予備すすぎ開始初期のよごれの多いすすぎ水は排水口から排水させられる。また、予備すすぎ終了間際の適温の湯水を浴槽内に少量溜めることにより、浴槽内を適度な温度と湿度に保つことができ、その後の洗剤による洗浄時に洗剤の浸透が活性化され、より一層の洗浄効率の向上が図られる。
【００１１】
さらに、予備すすぎ終了後に浴槽内へ洗剤を散布する洗剤散布手段をさらに備え、前記制御手段は、洗剤散布手段による洗剤散布が終了する前に前記自動排水栓を開制御するように構成され、これにより予備すすぎ終了直前に浴槽内に溜められた前記湯水を洗剤散布手段による洗剤散布が終了する前に排水するものであってよい（請求項３）。これによれば、浴槽内に溜められた湯水の排水後に散布される洗剤によって、浴槽底面における洗剤の濃度が向上し、洗剤散布初期は湯水が溜められているために洗剤による洗浄効果がさほど期待できない浴槽底面をも、洗剤による洗浄効果により確実に洗浄できる。
【００１２】
また、前記制御手段は、出湯配管から供給された湯水が所定温度に達したことを検知すると、該検知時点から所定時間経過したときに予備すすぎを終了するように構成されているものとすることができる（請求項４）。これによれば、出湯配管から供給される湯水が、皮脂汚れの溶解及び洗剤成分の活性化のために要求される温度に達した時点から、該湯水による一定時間の予備すすぎを行うことで、一定の洗浄性能を保証できる。
【００１３】
また、出湯配管から供給される湯水の流量を検出する流量検出手段をさらに備え、前記制御手段は、出湯配管から供給された湯水が所定温度に達したことを検知すると、該検知時点からの湯水の積算流量が所定値に達したときに予備すすぎを終了するように構成されているものとすることができる（請求項５）。これによれば、出湯配管から供給される湯水が、皮脂汚れの溶解及び洗剤成分の活性化のために要求される温度に達した時点から、一定の積算流量の湯水で予備すすぎを行うことで、一定の洗浄性能を保証できる。
【００１４】
また、本発明の浴槽洗浄装置は、給湯器から出湯配管を介して供給される湯水による予備すすぎを洗剤による洗浄前に行う浴槽洗浄装置であって、浴槽周辺の雰囲気温度を検知するための雰囲気温度検知手段と、該雰囲気温度検知手段により検知された雰囲気温度に基づいて予備すすぎの継続時間及び／又は湯水の積算流量を制御する制御手段とを備えていることを特徴とするものである（請求項６）。
【００１５】
かかる本発明の浴槽洗浄装置によれば、浴槽周辺の雰囲気温度を検知するための浴槽温度検知手段を設けているので、予備すすぎ時に浴槽周辺の雰囲気温度を検知することができ、雰囲気温度に応じて予備すすぎの継続時間や積算流量を制御することによって、夏場など浴槽周辺の雰囲気温度が比較的高い場合における予備すすぎ水量を低減できる。一方、例えば、冬場など浴槽周辺の雰囲気温度が比較的低い場合には十分な量の湯水による予備すすぎを行うことで浴槽内温度を十分に上昇させ、浴槽内を適度な温度と湿度に保つことで、その後の洗剤による洗浄時に洗剤の浸透が活性化され、洗浄効率の向上が図られる。また、浴槽周辺の雰囲気温度に応じて予備すすぎの継続時間や積算流量を制御することで、最も配管長の長い設置態様にあわせて一律の長いすすぎ継続時間を設定する必要がなく、給湯器と浴槽との設置態様に応じて効率的な予備すすぎを行うことができる。
【００１６】
上記本発明の浴槽洗浄装置において、出湯配管から供給された湯水温度を予備すすぎ時に検知する湯水温度検知手段をさらに備えることができ、前記制御手段は、前記雰囲気温度及び前記湯水温度に基づいて予備すすぎの継続時間及び／又は湯水の積算流量を制御するように構成することができる（請求項７）。これによれば、出湯配管から供給された後の湯水温度を予備すすぎ時に検知する湯水温度検知手段を設けているので、給湯器が浴槽から離れて設置されていても、予備すすぎ時に浴槽内に噴射される湯水温度を浴槽直前で検知することができ、湯水温度が所定温度に達した場合にはその後の予備すすぎ時に散布する湯量を節減するように予備すすぎの継続時間や積算流量を制御することによって、給湯器が浴槽近くに配置されている場合や、夏場における予備すすぎ水量を低減できる。
【００１７】
また、前記制御手段は、出湯配管から供給された湯水が所定温度に達したことを検知すると、該検知時点から前記雰囲気温度に応じて定められた所定時間経過したときに予備すすぎを終了するように構成されているものとすることができる（請求項８）。これによれば、出湯配管から供給される湯水が、皮脂汚れの溶解及び洗剤成分の活性化のために要求される温度に達するまでのすすぎ継続時間が湯水温度に応じて制御される。さらに、出湯配管から供給される湯水が、皮脂汚れの溶解及び洗剤成分の活性化のために要求される温度に達した時点から予備すすぎ終了までの予備すすぎ継続時間が、前記雰囲気温度に応じて制御される。このように湯水温度及び雰囲気温度に応じて予備すすぎ継続時間を制御することで、一定の洗浄性能を保証できる。
【００１８】
また、出湯配管から供給される湯水の流量を検出する流量検出手段をさらに備え、前記制御手段は、出湯配管から供給された湯水が所定温度に達したことを検知すると、該検知時点からの湯水の積算流量が前記雰囲気温度に応じて定められた所定値に達したときに予備すすぎを終了するように構成することができる（請求項９）。これによれば、出湯配管から供給される湯水が、皮脂汚れの溶解及び洗剤成分の活性化のために要求される温度に達するまでのすすぎ継続時間が湯水温度に応じて制御される。さらに、出湯配管から供給される湯水が、皮脂汚れの溶解及び洗剤成分の活性化のために要求される温度に達した時点から予備すすぎ終了までの積算流量が、前記雰囲気温度に応じて制御される。このように湯水温度及び雰囲気温度に応じて予備すすぎ継続時間若しくは積算流量を制御することで、一定の洗浄性能を保証できる。
【００１９】
また、浴槽の排水口に設けられた電動式自動排水栓をさらに備え、前記制御手段は、予備すすぎ開始前に自動排水栓を開制御するとともに、予備すすぎの終了直前に自動排水栓を閉制御するように構成され、これにより予備すすぎ終了直前に出湯配管から供給された湯水を浴槽内に溜めるように構成できる（請求項１０）。これによれば、予備すすぎ開始初期のよごれの多いすすぎ水は排水口から排水させられる。また、予備すすぎ終了間際の適温の湯水を浴槽内に少量溜めることにより、浴槽内を適度な温度と湿度に保つことができ、その後の洗剤による洗浄時に洗剤の浸透が活性化され、より一層の洗浄効率の向上が図られる。
【００２０】
さらに、予備すすぎ終了後に浴槽内へ洗剤を散布する洗剤散布手段をさらに備え、前記制御手段は、洗剤散布手段による洗剤散布が終了する前に前記自動排水栓を開制御するように構成され、これにより予備すすぎ終了直前に浴槽内に溜められた前記湯水を洗剤散布手段による洗剤散布が終了する前に排水するように構成できる（請求項１１）。これによれば、浴槽内に溜められた湯水の排水後に散布される洗剤によって、浴槽底面における洗剤の濃度が向上し、洗剤散布初期は湯水が溜められているために洗剤による洗浄効果がさほど期待できない浴槽底面をも、洗剤による洗浄効果により確実に洗浄できる。
【発明の効果】
【００２１】
以上説明したように、本発明の請求項１に係る浴槽洗浄装置によれば、出湯配管から供給された後の湯水温度を予備すすぎ時に検知する温度検知手段を設けているので、給湯器が浴槽から離れて設置されていても、予備すすぎ時に浴槽内に噴射される湯水温度を浴槽直前で検知することができ、湯水温度が所定温度に達した場合にはその後の予備すすぎ時に散布する湯量を節減するように予備すすぎの継続時間や積算流量を制御することによって、給湯器が浴槽近くに配置されている場合や、夏場における予備すすぎ水量を低減できる。
【００２２】
また、本発明の請求項２に係る浴槽洗浄装置によれば、予備すすぎ開始初期のよごれの多いすすぎ水は排水口から排水させられる。また、予備すすぎ終了間際の適温の湯水を浴槽内に少量溜めることにより、浴槽内を適度な温度と湿度に保つことができ、その後の洗剤による洗浄時に洗剤の浸透が活性化され、より一層の洗浄効率の向上が図られる。
【００２３】
また、本発明の請求項３に係る浴槽洗浄装置によれば、浴槽内に溜められた湯水の排水後に散布される洗剤によって、浴槽底面における洗剤の濃度が向上し、洗剤散布初期は湯水が溜められているために洗剤による洗浄効果がさほど期待できない浴槽底面をも、洗剤による洗浄効果により確実に洗浄できる。
【００２４】
また、本発明の請求項４に係る浴槽洗浄装置によれば、出湯配管から供給される湯水が、皮脂汚れの溶解及び洗剤成分の活性化のために要求される温度に達した時点から、該湯水による一定時間の予備すすぎを行うことで、一定の洗浄性能を保証できる。
【００２５】
また、本発明の請求項５に係る浴槽洗浄装置によれば、出湯配管から供給される湯水が、皮脂汚れの溶解及び洗剤成分の活性化のために要求される温度に達した時点から、一定の積算流量の湯水に予備すすぎを行うことで、一定の洗浄性能を保証できる。
【００２６】
また、本発明の請求項６に係る浴槽洗浄装置によれば、浴槽周辺の雰囲気温度を検知するための浴槽温度検知手段を設けているので、予備すすぎ時に浴槽周辺の雰囲気温度を検知することができ、雰囲気温度に応じて予備すすぎの継続時間や積算流量を制御することによって、夏場など浴槽周辺の雰囲気温度が比較的高い場合における予備すすぎ水量を低減できる。一方、例えば、冬場など浴槽周辺の雰囲気温度が比較的低い場合には十分な量の湯水による予備すすぎを行うことで浴槽内温度を十分に上昇させ、浴槽内を適度な温度と湿度に保つことで、その後の洗剤による洗浄時に洗剤の浸透が活性化され、洗浄効率の向上が図られる。また、浴槽周辺の雰囲気温度に応じて予備すすぎの継続時間や積算流量を制御することで、最も配管長の長い設置態様にあわせて一律の長いすすぎ継続時間を設定する必要がなく、給湯器と浴槽との設置態様に応じて効率的な予備すすぎを行うことができる。
【００２７】
また、本発明の請求項７に係る浴槽洗浄装置によれば、出湯配管から供給された後の湯水温度を予備すすぎ時に検知する湯水温度検知手段を設けているので、給湯器が浴槽から離れて設置されていても、予備すすぎ時に浴槽内に噴射される湯水温度を浴槽直前で検知することができ、湯水温度が所定温度に達した場合にはその後の予備すすぎ時に散布する湯量を節減するように予備すすぎの継続時間や積算流量を制御することによって、給湯器が浴槽近くに配置されている場合や、夏場における予備すすぎ水量を低減できる。
【００２８】
また、本発明の請求項８に係る浴槽洗浄装置によれば、出湯配管から供給される湯水が、皮脂汚れの溶解及び洗剤成分の活性化のために要求される温度に達するまでのすすぎ継続時間が湯水温度に応じて制御される。さらに、出湯配管から供給される湯水が、皮脂汚れの溶解及び洗剤成分の活性化のために要求される温度に達した時点から予備すすぎ終了までの予備すすぎ継続時間が、前記雰囲気温度に応じて制御される。このように湯水温度及び雰囲気温度に応じて予備すすぎ継続時間を制御することで、一定の洗浄性能を保証できる。
【００２９】
また、本発明の請求項９に係る浴槽洗浄装置によれば、出湯配管から供給される湯水が、皮脂汚れの溶解及び洗剤成分の活性化のために要求される温度に達するまでのすすぎ継続時間が湯水温度に応じて制御される。さらに、出湯配管から供給される湯水が、皮脂汚れの溶解及び洗剤成分の活性化のために要求される温度に達した時点から予備すすぎ終了までの積算流量が、前記雰囲気温度に応じて制御される。このように湯水温度及び雰囲気温度に応じて予備すすぎ継続時間若しくは積算流量を制御することで、一定の洗浄性能を保証できる。
【００３０】
また、本発明の請求項１０に係る浴槽洗浄装置によれば、予備すすぎ開始初期のよごれの多いすすぎ水は排水口から排水させられる。また、予備すすぎ終了間際の適温の湯水を浴槽内に少量溜めることにより、浴槽内を適度な温度と湿度に保つことができ、その後の洗剤による洗浄時に洗剤の浸透が活性化され、より一層の洗浄効率の向上が図られる。
【００３１】
また、本発明の請求項１１に係る浴槽洗浄装置によれば、浴槽内に溜められた湯水の排水後に散布される洗剤によって、浴槽底面における洗剤の濃度が向上し、洗剤散布初期は湯水が溜められているために洗剤による洗浄効果がさほど期待できない浴槽底面をも、洗剤による洗浄効果により確実に洗浄できる。
【図面の簡単な説明】
【００３２】
【図１】本発明の一実施形態に係る浴槽洗浄装置の概略構成図である。
【図２】同浴槽洗浄装置の主要部の回路構成図である。
【図３】同浴槽洗浄装置の制御フローチャートである。
【図４】同浴槽洗浄装置の制御シーケンス図である。
【図５】本発明の他の実施形態に係る浴槽洗浄装置の概略構成図である。
【図６】同浴槽洗浄装置の制御フローチャートである。
【図７】同浴槽洗浄装置の予備すすぎ時の作用説明図である。
【発明を実施するための形態】
【００３３】
以下、本発明の好適な実施形態を図面に基づいて説明する。
【００３４】
図１及び図２は本発明の一実施形態に係る浴槽洗浄装置１を備える浴槽システムの概略構成を示しており、該浴槽システムは、浴槽２と、追焚き機能及び給湯機能を有する熱源機３（給湯器）と、浴室リモコン４と、台所リモコン５と、洗浄リモコン６と、制御部７とを備えている。
【００３５】
上記熱源機３は水道水等の給水を受けて燃焼バーナの燃焼熱との熱交換加熱により所定温度まで加熱した湯を出湯配管３１に出湯させ、この湯を出湯配管３１を介して浴槽洗浄装置１や浴室内の給湯栓３２やその他各所の給湯栓まで給湯するようになっている。又、上記熱源機３は追い焚き機能を実現するための往き配管及び戻り配管からなる追い焚き循環配管３３を介して、浴槽２内に湯張りされた浴槽湯水を追い焚き加熱し得るようになっている。
【００３６】
以上の給湯及び追い焚きの各運転は台所リモコン５等により入力設定される設定出湯温度や追焚き設定温度等の設定情報に基づいて熱源機３内部の熱源機コントローラによる制御によって実現されるようになっている。例えば、給湯制御は、浴槽洗浄装置１の後述の注湯電磁弁１５が開かれたり給湯栓３２が開かれたりして所定の作動流量以上の入水が検知されると、図示省略の燃焼バーナを燃焼作動させて入水を加熱し、所定温度の湯を出湯配管３１に出湯させるようになっている。
【００３７】
上記浴槽洗浄装置１は、洗浄制御手段としての制御部７と、浴槽２の底壁に設置された洗浄ノズル１０に洗浄用湯水を供給する洗浄配管１１と、この洗浄配管１１に対し上流側から図２に示すように順に介装されたフィルタ１２，流量調整用の水量サーボ弁１３，水温センサ９（湯水温度検知手段），流量センサ１４，注湯電磁弁１５，縁切り弁１７の上流側での逆流防止用の逆止弁１６，上流側に負圧発生時に逆流発生を防止する縁切り弁１７，縁切り弁１７の下流側での逆流防止用の逆止弁１８及びベンチュリ管１９と、洗剤タンク２０と、洗剤タンク２０からベンチュリ管１９に洗剤を供給する洗剤供給管２１と、洗剤供給管２１の中途部に介装された洗剤供給量調整手段としての洗剤電磁弁２２とを備えて構成されている。
【００３８】
上記洗浄ノズル１０は浴槽２の底壁を貫通して設置され先端開口から内壁面に向けて所定範囲の広がりをもって洗浄用湯水を噴出するようになっている。この洗浄ノズル１０として、図例では１つのみを図示しているが、浴槽２のサイズや構造に応じて２以上のものを所定配置にて設置してもよい。又、この浴槽２の底壁には電動式自動排水栓２３が設置され、この排水栓２３は、制御部７からの制御信号に基づいて電気的に作動される開閉駆動機構２４からの開閉駆動力の伝達を受けて開閉作動されるようになっている。なお、この開閉駆動機構２４は浴槽２の上面側に設置され、この開閉駆動機構２４にはその作動状態（排水栓２３が開状態か閉状態か）の如何を検出する排水栓状態検出センサ（図示省略）が設けられている。上記洗浄配管１１は、その上流端が出湯配管３１に接続され下流端が上記の洗浄ノズル１０に連通接続されたものであり、上記注湯電磁弁１５を開くことで、熱源機３から出湯配管３１を介して湯水が洗浄配管１１に供給されるようになっている。
【００３９】
上記ベンチュリ管１９には洗剤供給管２１の下流端が連通接続されており、この洗剤供給管２１の上流端は洗剤タンク２０に連通接続されている。洗剤電磁弁２２の開作動により洗剤タンク２０から供給される所定量の洗剤がベンチュリ管１９において通過する洗浄用湯水に対し負圧吸引作用により混合されるようになっており、洗剤電磁弁２２を１回の洗浄に対し閉弁状態から開作動させて開弁状態にさせている開弁時間の長短によって洗剤供給量の調整が可能となっている。これら洗剤タンク２０、洗剤供給管２１，洗剤電磁弁２２、ベンチュリ管１９、洗浄配管１１並びに洗浄ノズル１０によって、洗剤を浴槽２内に散布するための洗剤散布手段が構成されている。
【００４０】
上記の浴槽洗浄装置１の各作動要素１３，１５，２２，２４は、洗浄ノズル１０による浴槽２内を洗浄するための洗浄制御等を実行する洗浄制御手段としての制御部７によって作動制御されるとともに、制御部７から電源供給がなされるようになっている。この制御部７には洗浄運転操作用の洗浄リモコン６及び流量センサ１４が電気的に接続されている。
【００４１】
上記制御部７は、マイクロコンピュータ及びＲＡＭやＲＯＭなどの記憶手段を内蔵して、記憶手段に記憶されたプログラムや制御データ等に基づいて浴槽洗浄装置１の各作動要素を作動制御する。この制御内容の一実施例を図３及び図４に示し、当該実施例の洗浄制御動作について以下説明する。
【００４２】
洗浄リモコン５の洗浄運転スイッチをオンするか、あるいは洗浄リモコン５によって設定された予約時間になると洗浄運転が開始され（Ｓ１）、まず自動排水栓２３を開制御して（Ｓ２）、浴槽２内の浴槽水が排水されるまで待機する（Ｓ３）。かかる待機は、所定時間の経過を待つものとしてもよく、また、自動排水栓２３に水量センサを設けて排水流量が無くなるまで待機するものとしてもよい。
【００４３】
浴槽水の排水が完了すると、注湯電磁弁１５を開制御するとともに水量サーボ１３の調節を行い（Ｓ４，Ｓ５）、予め設定された所定流量の湯水が熱源機３から出湯配管３１を介して供給させ、供給された湯水による予備洗浄を開始する。このとき、熱源機３からの出湯温度が異常に高温となっていないか、及び、設定された流量に収束するかの検査を行い（Ｓ６，Ｓ７）、異常が検出されれば洗浄リモコン６等により異常報知して、以降の制御を緊急停止する。
【００４４】
次に、水温センサ９の検出値に基づいて注湯電磁弁１５を開いてから供給される湯水が適温となるまでの所定の最大待ち時間を経過したか否かを判定し（Ｓ８）、最大待ち時間を経過したときは、供給される湯水が適温となることを待たずに、次のステップＳ１０へと以降し、最大待ち時間を経過するまでは出湯配管３１から洗浄配管１１に供給された湯水の温度が適温となるまで待機する（Ｓ９）。かかる判定制御により、水温センサ９により検知された湯水温度に基づいて予備すすぎの継続時間を制御部７が制御するように構成されている。すなわち、最大待ち時間が経過する前に湯水温度が適温となれば、すぐに次のステップへ移行することで、予備すすぎ開始から湯水温度が適温となるまでの経過時間と最大待ち時間との差分だけ予備すすぎ継続時間を短縮する。
【００４５】
最大待ち時間が経過するか、或いは、供給された湯水温度が適温に達すると、その時点からの予備すすぎ時間を計測するためにタイマーＴを初期化し（Ｓ１０）、所定時間、例えば６０秒を経過すると洗剤と湯水の混合液からなる洗浄液による洗浄動作に移行する（Ｓ１３）。また、本実施例では、予備すすぎ時間の終了直前、例えば１０秒前に自動排水栓２３を閉制御することにより、予備すすぎ終了直前に出湯配管３１から洗浄配管１１に供給された湯水を浴槽２内に少量溜めるためのステップＳ１１，Ｓ１２が設けられている。ここで浴槽２内に溜められる湯水の量は、洗浄ノズル１０からの洗浄液の噴射に影響のない程度の量となされている。
【００４６】
予備すすぎが終了すると、次に、洗浄水の噴射の繰返し回数を例えば３に設定して（Ｓ１４）、洗剤と湯水の混合液からなる洗浄液を洗浄ノズル１０から上記繰返し回数だけ間欠的に噴射させる（Ｓ１５〜Ｓ２４）。各回ごとの洗浄液の制御フローとしては、例えば、タイマーＴを初期化し（Ｓ１５）、洗剤電磁弁２２と注湯電磁弁１５とを開制御することによって洗剤と湯水の混合液からなる洗浄液を洗浄ノズル１０から噴射させ（Ｓ１６）、所定時間、例えば２秒間洗浄液を噴射すると洗剤電磁弁２２と注湯電磁弁１５とを閉制御して（Ｓ１７，Ｓ１８）、洗浄液が浴槽２の壁面に浸潤するまで所定時間、例えば１５秒間待機する（Ｓ２２）。このとき、最終回の洗浄液の噴射直前の待機状態のとき（Ｃ＝２のとき）であれば、待機時間の途中、例えば、最終回の洗浄液の噴射の５秒前に自動排水栓２３を開制御することにより（ステップＳ２０，Ｓ２１）、予備すすぎ終了時に浴槽２内に溜められた湯水を排水するようにしている。これにより、最終の（３回目の）洗浄液の噴射によって、浴槽２の底面にも最適な濃度の洗浄液を浸潤させることができ、該洗浄液によって浴槽底面をも洗浄可能となる。
【００４７】
上記の待機時間が経過すると（Ｓ２２）、繰返し回数をカウントして（Ｓ２３）、所定の繰返し回数の洗浄液の噴射を実行した場合には（Ｓ２４）、注湯電磁弁１５を開いて（Ｓ１５）、熱源機３から出湯配管３１を介して供給される湯水によるすすぎ動作を所定時間行い（Ｓ２６）、所定時間のすすぎ動作を終了すると水量サーボ１３及び注湯電磁弁１５を閉制御して（Ｓ２７）、洗浄運転を終了する（Ｓ２８）。
【００４８】
本発明は上記実施形態に限定されるものではなく、適宜設計変更できる。例えば、図３に示す制御フローにおいて、予備すすぎ開始後出湯配管３１から供給される湯水が適温になった後に、所定時間を経過するか否かの制御を行う例を示したが、供給される湯水の積算流量を計測して、積算流量が所定値となったときに予備すすぎを終了するように制御してもよい。また、予備すすぎの継続時間や積算流量は、出湯配管３１から供給される湯水温度に応じて可変させることもでき、例えば、湯水温度が４８℃の場合には予備すすぎを１分継続させるが、湯水温度が３２℃の場合には予備すすぎを１分２０秒継続させることができる。これにより、湯水温度によって浴槽内の雰囲気温度に差が生じることで、低温時に十分な予備すすぎが行われないことを防止できる。
【００４９】
また、上記実施形態では制御部７を洗浄リモコン６とは別に設けたが、洗浄リモコン６に制御部７を一体に内蔵してもよい。
【００５０】
また、上記実施形態では自動排水栓２３を最終の洗浄液の噴射直前に開制御したが（図４の実施例１参照）、図４の実施例２に示すように、洗浄液による洗浄が完了するまで自動排水栓２３を閉じておいて、最終のすすぎ動作開始時又は開始直前に自動排水栓２３を開制御するように構成してもよい。
【００５１】
また、上記実施形態では出湯配管から供給された湯水温度に基づいて予備すすぎの継続時間及び／又は湯水の積算流量を制御したが、湯水温度に代えて、若しくは、湯水温度に加えて浴槽周辺の雰囲気温度に基づいて予備すすぎの継続時間及び／又は湯水の積算流量を制御することもできる。図５は、かかる雰囲気温度に基づく制御を採用する本発明の他の実施形態を示しており、浴槽２の周辺の雰囲気温度を検知するための雰囲気温度検知手段としてのサーミスタ８が洗剤タンク２０に取付けられており、このサーミスタ８の検知信号は制御部７に入力されている。
【００５２】
そして、本実施形態では、制御部７によって、供給される湯水温度による上記実施形態の予備すすぎ継続時間の短縮制御に加えて、浴槽周辺の雰囲気温度によって予備すすぎの継続時間若しくは積算流量が適切に制御されるように構成されている。かかる制御フローの一例を図６に示しており、上記実施形態と同様の工程については省略し、異なる構成、作用効果について以下説明する。
【００５３】
本実施形態では、予備すすぎのための注湯電磁弁１５を開く前（ステップＳ３とステップＳ４の間）に、サーミスタ８の検知信号に基づいて浴槽周辺の雰囲気温度を検出するステップが設けられている。予備すすぎ開始前に雰囲気温度を検出するようにしたのは、予備すすぎの湯水によって浴槽壁面温度が上昇し、これに伴いサーミスタ８の検出値に影響が出て正しい雰囲気温度が検出困難となるからである。当該ステップで検出された雰囲気温度は、制御部７内のメモリに記憶される。
【００５４】
また、予備すすぎ開始後（ステップＳ４）、最大待ち時間が経過するか（ステップＳ８）或いは供給される湯温が適温となったことを検出したとき（ステップＳ９）、タイマーＴを上記実施形態と同様に初期化するとともに、その時点からの予備すすぎ継続時間Ｂを、上記ステップにおいて制御部７に記憶された雰囲気温度及び注湯温度（供給される湯水温度）に基づいて、雰囲気温度が高いほど継続時間Ｂが短く、且つ、注湯温度が高いほど継続時間Ｂが短くなるように設定する（ステップＳ１０）。なお、注湯温度としては、水温センサ９の検出値を用いてもよいし、注湯温度を設定するリモコンの設定値を用いてもよい。
【００５５】
上記継続時間Ｂの設定は、湯水温度及び雰囲気温度を変数とする所定の数式に基づいて行ってもよいが、本実施形態では、下記の表１に示す予め設定されたテーブルに基づいて行っている。なお、下記表１では、最大待ち時間が経過するか或いは湯温が適温になった時点からの予備すすぎ継続時間Ｂの長さを設定したが、当該時点以降の予備すすぎ用の湯水の積算流量を設定することもできる。また、湯水温度を考慮せず、雰囲気温度のみに基づいて継続時間Ｂを設定することも可能である。
【００５６】
【表１】
2013106942.tif 000003
【００５７】
また、ステップＳ１１，Ｓ１３では、設定された継続時間Ｂを上記所定時間（段落００３２第２行目参照）としてタイマーＴと比較している。
【００５８】
図７は本実施形態の浴槽洗浄装置１の予備すすぎ動作時の時間経過と注湯温度との関係を示している。図示された予備すすぎ開始時点に注湯電磁弁１５が開制御されて湯水の供給が開始され、その後注湯温度が徐々に上昇して所定の適温となるまでの継続時間Ａは上記ステップＳ９の判定により注湯温度に応じて可変とされ、さらに、注湯温度が適温となった時点から予備すすぎ終了までの継続時間Ｂも注湯温度及び雰囲気温度に応じて可変とされている。
【００５９】
このように供給される湯水温度のみならず浴槽周辺の雰囲気温度に基づいて予備すすぎ継続時間を適切に制御することによって、雰囲気温度が常温若しくはそれ以上の環境下などにおいて浴槽内が直ぐに温まるにもかかわらず予備すすぎ時に無駄にお湯を流し続ける必要がなく、予備すすぎの継続時間及び湯水積算流量を節減して、各設置環境に応じた運転によりランニングコストを抑えることができる。
【符号の説明】
【００６０】
１  浴槽洗浄装置
２  浴槽
３  給湯器
３１  出湯配管
７  制御部（制御手段）
９  温度検知手段
１０  自動排水栓
【図１】
2013106942.tif 000004
【図２】
2013106942.tif 000005
【図３】
2013106942.tif 000006
【図４】
2013106942.tif 000007
【図５】
2013106942.tif 000008
【図６】
2013106942.tif 000009
【図７】
2013106942.tif 000010